(57)【要約】  本発明はリソース指示方法、ユーザー装置（ＵＥ）、ネットワーク機器及びコンピュータ記憶媒体を開示し、方法は、少なくとも２つの候補マッピング関係からターゲットマッピング関係を選択することと、ターゲットマッピング関係における帯域幅部分のサイズ範囲に基づき、ターゲットリソースブロックグループのサイズを決定することと、ターゲットリソースブロックグループのサイズ及びネットワーク側から送信された第１制御情報に基づき、周波数領域リソースを割り当てることと、を含み、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる。
2021511686.tif 000002
【特許請求の範囲】
【請求項１】
ユーザー装置に適用されるリソース指示方法であって、
少なくとも２つの候補マッピング関係からターゲットマッピング関係を選択することと、
ターゲットマッピング関係における帯域幅部分のサイズ範囲に基づき、ターゲットリソースブロックグループのサイズを決定することと、
ターゲットリソースブロックグループのサイズ及びネットワーク側から送信された第１制御情報に基づき、周波数領域リソースを割り当てることと、を含み、
前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできるリソース指示方法。
【請求項２】
前記方法は、更に、
ネットワーク側から少なくとも２つの候補マッピング関係を取得することを含む請求項１に記載の方法。
【請求項３】
少なくとも２つの候補マッピング関係からターゲットマッピング関係を選択することは、
ネットワーク側から送信された第１構成シグナリングに基づいて少なくとも２つの候補マッピング関係からターゲットマッピング関係を選択し、
又は、
プリセットルールに従って少なくとも２つの候補マッピング関係からターゲットマッピング関係を選択することを含む請求項１に記載の方法。
【請求項４】
物理ダウンリンク制御チャネルを介して第１制御情報を伝送する請求項１〜３のいずれか１項に記載の方法。
【請求項５】
第１構成シグナリングは無線リソースによって構成情報を制御する請求項２又は３に記載の方法。
【請求項６】
ネットワーク機器に適用されるリソース指示方法であって、
ユーザー装置がターゲットマッピング関係におけるターゲットリソースブロックのサイズに基づいて周波数領域リソースを割り当てるように指示するための第１制御情報をユーザー装置に送信することを含み、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできるリソース指示方法。
【請求項７】
前記方法は、更に、
前記ユーザー装置に少なくとも２つの候補マッピング関係を設定することを含む請求項６に記載の方法。
【請求項８】
前記方法は、更に、
前記ユーザー装置が少なくとも２つのマッピング関係からターゲットマッピング関係を選択するように指示するための第１構成シグナリングを前記ユーザー装置に送信することを含む請求項６に記載の方法。
【請求項９】
物理ダウンリンク制御チャネルを介して第１制御情報を伝送する請求項６〜８のいずれか１項に記載の方法。
【請求項１０】
第１構成シグナリングは無線リソースによって構成情報を制御する請求項７又は８に記載の方法。
【請求項１１】
ユーザー装置であって、
少なくとも２つの候補マッピング関係からターゲットマッピング関係を選択し、ターゲットマッピング関係における帯域幅部分のサイズ範囲に基づき、ターゲットリソースブロックグループのサイズを決定し、ターゲットリソースブロックグループのサイズ及びネットワーク側から送信された第１制御情報に基づき、周波数領域リソースを割り当て、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる第１処理ユニットと、
ネットワーク側から送信された第１制御情報を受信する第１通信ユニットと、を備えるユーザー装置。
【請求項１２】
前記方法は、更に、
ネットワーク側から少なくとも２つの候補マッピング関係を取得する第１通信ユニットを含む請求項１１に記載のユーザー装置。
【請求項１３】
前記第１通信ユニットはネットワーク側から送信された第１構成シグナリングを受信し、前記第１処理ユニットはネットワーク側から送信された第１構成シグナリングに基づいて少なくとも２つの候補マッピング関係からターゲットマッピング関係を選択し、
又は、
前記第１処理ユニットはプリセットルールに従って少なくとも２つの候補マッピング関係からターゲットマッピング関係を選択する請求項１１に記載のユーザー装置。
【請求項１４】
物理ダウンリンク制御チャネルを介して第１制御情報を伝送する請求項１１〜１３のいずれか１項に記載のユーザー装置。
【請求項１５】
第１構成シグナリングは無線リソースによって構成情報を制御する請求項１２又は１３に記載のユーザー装置。
【請求項１６】
ネットワーク機器であって、
ユーザー装置がターゲットマッピング関係におけるターゲットリソースブロックのサイズに基づいて周波数領域リソースを割り当てるように指示するための第１制御情報をユーザー装置に送信する第２通信ユニットを備え、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできるネットワーク機器。
【請求項１７】
前記ネットワーク機器は、更に、
少なくとも２つの候補マッピング関係を決定する第２処理ユニットを備え、
前記第２通信ユニットは前記ユーザー装置に少なくとも２つの候補マッピング関係を設定する請求項１６に記載のネットワーク機器。
【請求項１８】
前記第２通信ユニットは前記ユーザー装置が少なくとも２つのマッピング関係からターゲットマッピング関係を選択するように指示するための第１構成シグナリングを前記ユーザー装置に送信する請求項１６に記載のネットワーク機器。
【請求項１９】
物理ダウンリンク制御チャネルを介して第１制御情報を伝送する請求項１６〜１８のいずれか１項に記載のネットワーク機器。
【請求項２０】
第１構成シグナリングは無線リソースによって構成情報を制御する請求項１７又は１８に記載のネットワーク機器。
【請求項２１】
ユーザー装置であって、
プロセッサと、プロセッサにおいて実行できるコンピュータプログラムを記憶するためのメモリと、を備え、
前記プロセッサは前記コンピュータプログラムを実行するとき、請求項１〜５のいずれか１項に記載の方法のステップを実行することに用いられるユーザー装置。
【請求項２２】
ネットワーク機器であって、
プロセッサと、プロセッサにおいて実行できるコンピュータプログラムを記憶するためのメモリと、を備え、
前記プロセッサは前記コンピュータプログラムを実行するとき、請求項６〜１０のいずれか１項に記載の方法のステップを実行することに用いられるネットワーク機器。
【請求項２３】
コンピュータ記憶媒体であって、
コンピュータ実行可能命令が記憶され、前記コンピュータ実行可能命令が実行されるとき、請求項１〜１０のいずれか１項に記載の方法のステップを実現するコンピュータ記憶媒体。
【発明の詳細な説明】
【技術分野】
【０００１】
本発明は通信処理技術分野に関し、特にリソース指示方法、ユーザー装置、ネットワーク機器及びコンピュータ記憶媒体に関する。
【背景技術】
【０００２】
従来のＬＴＥシステムにおいて、周波数領域リソース割り当て粒度がＲＢＧ（リソースブロックグループ）であり、１つのＲＢＧに含まれるリソースブロック（ＲＢ）の数すなわちＲＢＧ  ｓｉｚｅがシステム帯域幅に関連し、表１に示される。
【表１】
2021511686.tif 000003
【０００３】
５Ｇ  ＮＲ標準では、既にＲＢＧ  ｓｉｚｅがシステム帯域幅のサイズではなく、端末の帯域幅部分（ＢＷＰ：Ｂａｎｄｗｉｄｉｔｈ  ｐａｒｔ）のサイズに関連することを決定した。
【発明の概要】
【発明が解決しようとする課題】
【０００４】
しかしながら、従来技術において、ＲＢＧサイズと帯域幅部分のサイズとのマッピング関係を明確にすることがない。異なるＢＷＰサイズがいずれも異なるＲＢＧ  ｓｉｚｅに対応すれば、良好なスケジューリング柔軟性を実現することができるが、異なる端末が異なるＢＷＰサイズを有してもよく、１つのセル内に複数のスケジューリング粒度を同時に用いる必要があるため、より高い基地局のスケジューリング複雑性を引き起こしてしまう。異なるＲＢＧ  ｓｉｚｅに対していずれも同じＲＢＧ  ｓｉｚｅを用いると、基地局スケジューラを簡素化することができるが、スケジューリング柔軟性を大幅に制限してしまう。
【課題を解決するための手段】
【０００５】
上記技術的問題を解決するために、本発明の実施例はリソース指示方法、ユーザー装置、ネットワーク機器及びコンピュータ記憶媒体を提供する。
【０００６】
本発明の実施例はユーザー装置に適用されるリソース指示方法を提供し、
少なくとも２つの候補マッピング関係からターゲットマッピング関係を選択することと、
ターゲットマッピング関係における帯域幅部分のサイズ範囲に基づき、ターゲットリソースブロックグループのサイズを決定することと、
ターゲットリソースブロックグループのサイズ及びネットワーク側から送信された第１制御情報に基づき、周波数領域リソースを割り当てることと、を含み、
前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる。
【０００７】
本発明の実施例はネットワーク機器に適用されるリソース指示方法を提供し、
ユーザー装置がターゲットマッピング関係におけるターゲットリソースブロックのサイズに基づいて周波数領域リソースを割り当てるように指示するための第１制御情報をユーザー装置に送信することを含み、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる。
【０００８】
本発明の実施例はユーザー装置を提供し、
少なくとも２つの候補マッピング関係からターゲットマッピング関係を選択し、ターゲットマッピング関係における帯域幅部分のサイズ範囲に基づき、ターゲットリソースブロックグループのサイズを決定し、ターゲットリソースブロックグループのサイズ及びネットワーク側から送信された第１制御情報に基づき、周波数領域リソースを割り当て、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる第１処理ユニットと、
ネットワーク側から送信された第１制御情報を受信する第１通信ユニットと、を備える。
【０００９】
本発明の実施例はネットワーク機器を提供し、
ユーザー装置がターゲットマッピング関係におけるターゲットリソースブロックのサイズに基づいて周波数領域リソースを割り当てるように指示するための第１制御情報をユーザー装置に送信する第２通信ユニットを備え、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる。
【００１０】
本発明の実施例はユーザー装置を提供し、
プロセッサと、プロセッサにおいて実行できるコンピュータプログラムを記憶するためのメモリと、を備え、
前記プロセッサは前記コンピュータプログラムを実行するとき、上記方法のステップを実行することに用いられる。
【００１１】
本発明の実施例はネットワーク機器を提供し、
プロセッサと、プロセッサにおいて実行できるコンピュータプログラムを記憶するためのメモリと、を備え、
前記プロセッサは前記コンピュータプログラムを実行するとき、上記方法のステップを実行することに用いられる。
【００１２】
本発明の実施例はコンピュータ記憶媒体を提供し、
コンピュータ実行可能命令が記憶され、前記コンピュータ実行可能命令が実行されるとき、上記方法のステップを実現する。
【発明の効果】
【００１３】
本発明の実施例の技術案において、ユーザー装置は少なくとも２つの候補マッピングテーブル関係に基づき、ターゲットマッピング関係を決定し、更にネットワーク側から送信された制御情報によって利用すべき周波数領域リソースを決定することができ、且つ、少なくとも２つの候補マッピング関係には異なるＢＷＰ範囲が異なるＲＢＧサイズにマッピングする第１マッピング関係及び同じＲＢＧサイズにマッピングする第２マッピング関係は含まれてもよい。このように、このような複数のマッピング関係を柔軟に利用してユーザー装置に周波数領域リソースを割り当てることができ、それによりスケジューリング柔軟性を実現するとともに、更に基地局のスケジューリング複雑性及び端末の操作複雑性を低減することができる。
【図面の簡単な説明】
【００１４】
【図１】図１は本発明の実施例に係るリソース指示方法のフローチャートである。
【図２】図２は本発明の実施例のユーザー装置の要部構成の模式図である。
【図３】図３は本発明の実施例のネットワーク機器の要部構成の模式図である。
【図４】図４は本発明の実施例のハードウェアアーキテクチャの模式図である。
【発明を実施するための形態】
【００１５】
本発明の実施例の特徴及び技術的内容をより詳しく理解できるために、以下に図面を参照しながら本発明の実施例の実現を詳しく説明し、添付の図面は参照・説明のためのものであって、本発明の実施例を制限するためのものではない。
【００１６】
実施例１
本発明の実施例はユーザー装置に適用されるリソース指示方法を提供し、図１に示すように、
少なくとも２つの候補マッピング関係からターゲットマッピング関係を選択するステップ１０１と、
ターゲットマッピング関係における帯域幅部分のサイズ範囲に基づき、ターゲットリソースブロックグループのサイズを決定するステップ１０２と、
ターゲットリソースブロックグループのサイズ及びネットワーク側から送信された第１制御情報に基づき、周波数領域リソースを割り当てるステップ１０３と、を含み、
前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる。
【００１７】
２つのマッピング関係については、表２に示される。
【表２】
2021511686.tif 000004
【００１８】
表２から分かるように、第１マッピング関係において、異なる帯域幅部分のサイズ範囲が異なるリソースブロックグループサイズに対応し、例えば、表２では、それぞれマッピングするリソースブロックグループサイズが１、２、４、８、１６であるが、第２マッピング関係において、複数の異なる帯域幅部分のサイズがそれぞれ同じリソースブロックグループサイズに対応し、例えば、表２では、３つの帯域幅部分のサイズ範囲に対応する同じリソースブロックグループサイズがいずれも４であり、残りの２つの帯域幅部分のサイズ範囲に対応する他のリソースブロックグループサイズがいずれも１６である。また、表中のＢＷＰのサイズ範囲については、実際の状況に応じて設定してもよく、表中に一例を示すが、ここで全ての例を挙げない。
【００１９】
ここで、前記ターゲットマッピング関係は第１マッピング関係又は第２マッピング関係であってもよい。
【００２０】
なお、実際にはより多くのマッピング関係が存在してもよいが、本実施例では全てのマッピング関係を挙げないと理解すべきである。
【００２１】
上記ステップ１０１では、少なくとも２つの候補マッピング関係は、ユーザー装置における予め設定される少なくとも２つの候補マッピング関係であってもよく、ネットワーク側から取得した少なくとも２つの候補マッピング関係であってもよい。
【００２２】
ネットワーク側から少なくとも２つの候補マッピング関係を取得する方式は、無線リソース制御（ＲＲＣ）構成情報から取得する方式であってもよく、無論、他の情報から取得する方式であってもよい。
【００２３】
具体的に、少なくとも２つの候補マッピング関係からターゲットマッピング関係を選択することは、
ネットワーク側から送信された第１構成シグナリングに基づいて少なくとも２つの候補マッピング関係からターゲットマッピング関係を選択し、
又は、
プリセットルールに従って少なくとも２つの候補マッピング関係からターゲットマッピング関係を選択することを含む。
【００２４】
第１構成シグナリングがＲＲＣ構成情報によって取得されてもよい。ユーザー装置が前記第１構成シグナリングに基づいて少なくとも２つの候補マッピング関係からどのターゲットマッピング関係を選択するかを決定するように、前記第１構成シグナリングにはネットワーク側の能力情報が含まれてもよい。例えば、ネットワーク側（基地局）の能力はその負荷能力がより低いことを現す場合、第２マッピング関係をターゲットマッピング関係として選択することができ、逆に、第１マッピング関係をターゲットマッピング関係として選択することができる。
【００２５】
また、第１構成シグナリングからネットワーク側の指示するユーザー装置の選択すべきターゲットマッピング関係を取得することができ、このような方式では、ネットワーク側（すなわち基地局）自体はその能力がより大きな負荷を許容できるかどうかを判断してもよく、できる場合、第１構成シグナリングによって第１マッピング関係をターゲットマッピング関係として選択することをユーザー装置に通知することができ、逆に、第１構成シグナリングによって第２マッピング関係をターゲットマッピング関係として選択することをユーザー装置に通知することができる。
【００２６】
プリセットルールに従って少なくとも２つの候補マッピング関係からターゲットマッピング関係を選択することにおいて、前記プリセットルールはユーザー装置自体の検出した現在のシステム負荷に基づいて判断することであってもよく、例えば、現在検出したシステム負荷がより大きい場合、第２マッピング関係をターゲットマッピング関係として選択することができ、逆に、第１マッピング関係をターゲットマッピング関係として選択する。システム負荷の検出方式はネットワーク側から送信されたシステム負荷情報によって取得されてもよく、本実施例では具体的な送信方式は省略する。
【００２７】
また、更にユーザー装置の検出したネットワーク側の参照信号の品質によって判断してもよく、例えば、ネットワーク側の参照信号の品質がより低いと検出した場合、第２マッピング関係をターゲットマッピング関係として選択することができ、ネットワーク側の参照信号の品質がより高いと検出した場合、第１マッピング関係をターゲットマッピング関係として選択することができる。
【００２８】
参照信号の品質の判断方式は、干渉がプリセット干渉閾値より小さい場合に品質がより高く、逆に品質がより低いことを示すことであってもよく、又は、信号対雑音比がプリセット信号対雑音比閾値より高い場合に品質がより高いことを示し、逆に、品質がより低いことを示すことであってもよい。なお、更に他の判断方式があってもよく、本実施例では全ての判断方式を挙げない。
【００２９】
上記ステップ１０２では、ターゲットマッピング関係における帯域幅部分のサイズ範囲に基づき、ターゲットリソースブロックグループのサイズを決定し、上記表２を参照してもよく、ターゲットマッピング関係を決定するとき、ユーザー装置の様々な帯域幅部分のサイズ範囲に対応する複数のリソースブロックグループのサイズを把握することができる。
【００３０】
更に、ステップ１０３を実行し、ネットワーク側から送信された第１制御情報によって、ターゲットマッピング関係からどのリソースブロックグループのサイズをユーザー装置の利用する周波数領域リソースとして選択するかを決定することができる。
【００３１】
第１制御情報は物理ダウンリンク制御チャネルから伝送された制御情報であってもよい。具体的な内容はリソースブロックグループに対応する識別情報を示すことであってもよく、リソースブロックグループについての識別情報はユーザー装置及びネットワーク側がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき部分帯域幅のサイズを示すことであってもよく、
又は、第１制御情報の具体的な内容は更にネットワーク側がユーザー装置の利用すべきリソースブロックグループのサイズを直接指示することであってもよい。
【００３２】
以上によれば、上記考案を用いることにより、ユーザー装置は少なくとも２つの候補マッピングテーブル関係に基づき、ターゲットマッピング関係を決定し、更にネットワーク側から送信された制御情報によって利用すべき周波数領域リソースを決定することができ、且つ、少なくとも２つの候補マッピング関係には異なるＢＷＰ範囲が異なるＲＢＧサイズにマッピングする第１マッピング関係及び同じＲＢＧサイズにマッピングする第２マッピング関係が含まれてもよい。このように、このような複数のマッピング関係を柔軟に利用してユーザー装置に周波数領域リソースを割り当てることができ、それによりスケジューリング柔軟性を実現するとともに、更に基地局のスケジューリング複雑性及び端末の操作複雑性を低減することができる。
【００３３】
実施例２
本発明の実施例はネットワーク機器に適用されるリソース指示方法を提供し、
ユーザー装置がターゲットマッピング関係におけるターゲットリソースブロックのサイズに基づいて周波数領域リソースを割り当てるように指示するための第１制御情報をユーザー装置に送信することを含み、
前記ターゲットマッピング関係が少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲では同じリソースブロックグループサイズにマッピングできる。
【００３４】
本実施例に係るネットワーク機器はネットワーク側の基地局、又はユーザー装置と制御シグナリング及び構成シグナリングの伝送を行うことのできる他の機器であってもよい。
【００３５】
２つのマッピング関係については、表２に示される。
【表３】
2021511686.tif 000005
【００３６】
表２から分かるように、第１マッピング関係において、異なる帯域幅部分のサイズ範囲が異なるリソースブロックグループサイズに対応し、例えば、表２では、それぞれマッピングするリソースブロックグループサイズが１、２、３、４であるが、第２マッピング関係において、複数の異なる帯域幅部分のサイズがそれぞれ同じリソースブロックグループサイズに対応し、例えば、表２では、３つの帯域幅部分のサイズ範囲に対応する同じリソースブロックグループサイズがいずれも１であり、残りの２つの帯域幅部分のサイズ範囲に対応する他のリソースブロックグループサイズが３である。また、表中のＢＷＰのサイズ範囲については、実際の状況に応じて設定してもよく、表中に一例を示すが、ここで全ての例を挙げない。
【００３７】
ここで、前記ターゲットマッピング関係は第１マッピング関係又は第２マッピング関係であってもよい。
【００３８】
なお、実際にはより多くのマッピング関係が存在してもよいが、本実施例では全てのマッピング関係を挙げないと理解すべきである。
【００３９】
少なくとも２つの候補マッピング関係は、ユーザー装置における予め設定される少なくとも２つの候補マッピング関係であってもよく、ネットワーク機器が前記ユーザー装置に設定した少なくとも２つの候補マッピング関係であってもよい。
【００４０】
ユーザー装置に少なくとも２つの候補マッピング関係を送信する方式は、無線リソース制御（ＲＲＣ）構成情報から取得する方式であってもよく、無論、他の情報から取得する方式であってもよい。
【００４１】
具体的に、少なくとも２つの候補マッピング関係からターゲットマッピング関係を選択する方式は、前記ユーザー装置が少なくとも２つのマッピング関係からターゲットマッピング関係を選択するように指示するための第１構成シグナリングを前記ユーザー装置に送信する方式であってもよい。
【００４２】
第１構成シグナリングがＲＲＣ構成情報によって取得されてもよい。ユーザー装置が前記第１構成シグナリングに基づいて少なくとも２つの候補マッピング関係からどのターゲットマッピング関係を選択するかを決定するように、前記第１構成シグナリングにはネットワーク側の能力情報が含まれてもよい。例えば、ネットワーク側（基地局）の能力はその負荷能力がより低いことを現す場合、第２マッピング関係をターゲットマッピング関係として選択することができ、逆に、第１マッピング関係をターゲットマッピング関係として選択することができる。
【００４３】
また、第１構成シグナリングからネットワーク側の指示するユーザー装置の選択すべきターゲットマッピング関係を取得することができ、このような方式では、ネットワーク側（すなわち基地局）自体はその能力がより大きな負荷を許容できるかどうかを判断してもよく、できる場合、第１構成シグナリングによって第１マッピング関係をターゲットマッピング関係として選択することをユーザー装置に通知することができ、逆に、第１構成シグナリングによって第２マッピング関係をターゲットマッピング関係として選択することをユーザー装置に通知することができる。
【００４４】
本実施例において、第１制御情報は物理ダウンリンク制御チャネルから伝送された制御情報であってもよい。具体的な内容はリソースブロックグループに対応する識別情報を示すことであってもよく、リソースブロックグループについての識別情報はユーザー装置及びネットワーク機器がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき部分帯域幅のサイズを示すことであってもよく、
又は、第１制御情報の具体的な内容は更にネットワーク機器がユーザー装置の利用すべきリソースブロックグループのサイズを直接指示することであってもよい。
【００４５】
以上によれば、上記考案を用いることにより、ユーザー装置は少なくとも２つの候補マッピングテーブル関係に基づき、ターゲットマッピング関係を決定し、更にネットワーク側から送信された制御情報によって利用すべき周波数領域リソースを決定することができ、且つ、少なくとも２つの候補マッピング関係には異なるＢＷＰ範囲が異なるＲＢＧサイズにマッピングする第１マッピング関係及び同じＲＢＧサイズにマッピングする第２マッピング関係が含まれてもよい。このように、このような複数のマッピング関係を柔軟に利用してユーザー装置に周波数領域リソースを割り当てることができ、それによりスケジューリング柔軟性を実現するとともに、更に基地局のスケジューリング複雑性及び端末の操作複雑性を低減することができる。
【００４６】
実施例３
本発明の実施例はユーザー装置を提供し、図２に示すように、
少なくとも２つの候補マッピング関係からターゲットマッピング関係を選択し、ターゲットマッピング関係における帯域幅部分のサイズ範囲に基づき、ターゲットリソースブロックグループのサイズを決定し、ターゲットリソースブロックグループのサイズ及びネットワーク側から送信された第１制御情報に基づき、周波数領域リソースを割り当て、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる第１処理ユニット２１と、
ネットワーク側から送信された第１制御情報を受信する第１通信ユニット２２と、を備える。
【００４７】
２つのマッピング関係については、表２に示される。
【表４】
2021511686.tif 000006
【００４８】
表２から分かるように、第１マッピング関係において、異なる帯域幅部分のサイズ範囲が異なるリソースブロックグループサイズに対応し、例えば、表２では、それぞれマッピングするリソースブロックグループサイズが１、２、４、８、１６であるが、第２マッピング関係において、複数の異なる帯域幅部分のサイズがそれぞれ同じリソースブロックグループサイズに対応し、例えば、表２では、３つの帯域幅部分のサイズ範囲に対応する同じリソースブロックグループサイズがいずれも４であり、残りの２つの帯域幅部分のサイズ範囲に対応する他のリソースブロックグループサイズがいずれも１６である。また、表中のＢＷＰのサイズ範囲については、実際の状況に応じて設定してもよく、表中に一例を示すが、ここで全ての例を挙げない。
【００４９】
ここで、前記ターゲットマッピング関係は第１マッピング関係又は第２マッピング関係であってもよい。
【００５０】
なお、実際にはより多くのマッピング関係が存在してもよいが、本実施例では全てのマッピング関係を挙げないと理解すべきである。
【００５１】
少なくとも２つの候補マッピング関係は、ユーザー装置における予め設定される少なくとも２つの候補マッピング関係であってもよく、第１通信ユニット２２がネットワーク側から取得した少なくとも２つの候補マッピング関係であってもよい。
【００５２】
ネットワーク側から少なくとも２つの候補マッピング関係を取得する方式は、無線リソース制御（ＲＲＣ）構成情報から取得する方式であってもよく、無論、他の情報から取得する方式であってもよい。
【００５３】
具体的に、少なくとも２つの候補マッピング関係からターゲットマッピング関係を選択することは、
前記第１通信ユニット２２がネットワーク側から送信された第１構成シグナリングを受信し、前記第１処理ユニット２１がネットワーク側から送信された第１構成シグナリングに基づいて少なくとも２つの候補マッピング関係からターゲットマッピング関係を選択すること、
又は、
前記第１処理ユニット２１がプリセットルールに従って少なくとも２つの候補マッピング関係からターゲットマッピング関係を選択すること、を含む。
【００５４】
第１構成シグナリングがＲＲＣ構成情報によって取得されてもよい。ユーザー装置が前記第１構成シグナリングに基づいて少なくとも２つの候補マッピング関係からどのターゲットマッピング関係を選択するかを決定するように、前記第１構成シグナリングにはネットワーク側の能力情報が含まれてもよい。例えば、ネットワーク側（基地局）の能力はその負荷能力がより低いことを現す場合、第２マッピング関係をターゲットマッピング関係として選択することができ、逆に、第１マッピング関係をターゲットマッピング関係として選択することができる。
【００５５】
また、第１構成シグナリングからネットワーク側の指示するユーザー装置の選択すべきターゲットマッピング関係を取得することができ、このような方式では、ネットワーク側（すなわち基地局）自体はその能力がより大きな負荷を許容できるかどうかを判断してもよく、できる場合、第１構成シグナリングによって第１マッピング関係をターゲットマッピング関係として選択することをユーザー装置に通知することができ、逆に、第１構成シグナリングによって第２マッピング関係をターゲットマッピング関係として選択することをユーザー装置に通知することができる。
【００５６】
プリセットルールに従って少なくとも２つの候補マッピング関係からターゲットマッピング関係を選択することにおいて、前記プリセットルールはユーザー装置自体の検出した現在のシステム負荷に基づいて判断することであってもよく、例えば、現在検出したシステム負荷がより大きい場合、第２マッピング関係をターゲットマッピング関係として選択することができ、逆に、第１マッピング関係をターゲットマッピング関係として選択する。システム負荷の検出方式はネットワーク側から送信されたシステム負荷情報によって取得されてもよく、本実施例では具体的な送信方式は省略する。
【００５７】
また、更にユーザー装置の検出したネットワーク側の参照信号の品質によって判断してもよく、例えば、ネットワーク側の参照信号の品質がより低いと検出した場合、第２マッピング関係をターゲットマッピング関係として選択することができ、ネットワーク側の参照信号の品質がより高いと検出した場合、第１マッピング関係をターゲットマッピング関係として選択することができる。
【００５８】
参照信号の品質の判断方式は、干渉がプリセット干渉閾値より小さい場合に品質がより高く、逆に品質がより低いことを示すことであってもよく、又は、信号対雑音比が予め設定される信号対雑音比閾値より高い場合に品質がより高いことを示し、逆に、品質がより低いことを示すことであってもよい。なお、更に他の判断方式があってもよく、本実施例では全ての判断方式を挙げない。
【００５９】
ターゲットマッピング関係における帯域幅部分のサイズ範囲に基づき、ターゲットリソースブロックグループのサイズを決定し、上記表２を参照してもよく、ターゲットマッピング関係を決定するとき、ユーザー装置の様々な帯域幅部分のサイズ範囲に対応する複数のリソースブロックグループのサイズを把握することができる。
【００６０】
更に、前記第１処理ユニット２１はネットワーク側から送信された第１制御情報によって、ターゲットマッピング関係からどのリソースブロックグループのサイズをユーザー装置の利用する周波数領域リソースとして選択するかを決定することができる。
【００６１】
第１制御情報は物理ダウンリンク制御チャネルから伝送された制御情報であってもよい。具体的な内容はリソースブロックグループに対応する識別情報を示すことであってもよく、リソースブロックグループについての識別情報はユーザー装置及びネットワーク側がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき部分帯域幅のサイズを示すことであってもよく、
又は、第１制御情報の具体的な内容は更にネットワーク側がユーザー装置の利用すべきリソースブロックグループのサイズを直接指示することであってもよい。
【００６２】
以上によれば、上記考案を用いることにより、ユーザー装置は少なくとも２つの候補マッピングテーブル関係に基づき、ターゲットマッピング関係を決定し、更にネットワーク側から送信された制御情報によって利用すべき周波数領域リソースを決定することができ、且つ、少なくとも２つの候補マッピング関係には異なるＢＷＰ範囲が異なるＲＢＧサイズにマッピングする第１マッピング関係及び同じＲＢＧサイズにマッピングする第２マッピング関係が含まれてもよい。このように、このような複数のマッピング関係を柔軟に利用してユーザー装置に周波数領域リソースを割り当てることができ、それによりスケジューリング柔軟性を実現するとともに、更に基地局のスケジューリング複雑性及び端末の操作複雑性を低減することができる。
【００６３】
実施例４
本発明の実施例はネットワーク機器を提供し、図３に示すように、
ユーザー装置がターゲットマッピング関係におけるターゲットリソースブロックのサイズに基づいて周波数領域リソースを割り当てるように指示するための第１制御情報をユーザー装置に送信する第２通信ユニット３１を備え、
前記ターゲットマッピング関係が少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲では同じリソースブロックグループサイズにマッピングできる。
【００６４】
本実施例に係るネットワーク機器はネットワーク側の基地局、又はユーザー装置と制御シグナリング及び構成シグナリングの伝送を行うことのできる他の機器であってもよい。
【００６５】
２つのマッピング関係については、表２に示される。
【表５】
2021511686.tif 000007
【００６６】
表２から分かるように、第１マッピング関係において、異なる帯域幅部分のサイズ範囲が異なるリソースブロックグループサイズに対応し、例えば、表２では、それぞれマッピングするリソースブロックグループサイズが１、２、４、８、１６であるが、第２マッピング関係において、複数の異なる帯域幅部分のサイズがそれぞれ同じリソースブロックグループサイズに対応し、例えば、表２では、３つの帯域幅部分のサイズ範囲に対応する同じリソースブロックグループサイズがいずれも４であり、残りの２つの帯域幅部分のサイズ範囲に対応する他のリソースブロックグループサイズがいずれも１６である。また、表中のＢＷＰのサイズ範囲については、実際の状況に応じて設定してもよく、表中に一例を示すが、ここで全ての例を挙げない。
【００６７】
ここで、前記ターゲットマッピング関係は第１マッピング関係又は第２マッピング関係であってもよい。
【００６８】
なお、実際にはより多くのマッピング関係が存在してもよいが、本実施例では全てのマッピング関係を挙げないと理解すべきである。
【００６９】
少なくとも２つの候補マッピング関係は、ユーザー装置における予め設定される少なくとも２つの候補マッピング関係であってもよく、ネットワーク機器が前記ユーザー装置に設定した少なくとも２つの候補マッピング関係であってもよく、すなわち、ネットワーク機器は、更に、
少なくとも２つの候補マッピング関係を決定する第２処理ユニット３２を備え、
前記第２通信ユニット３１は前記ユーザー装置に少なくとも２つの候補マッピング関係を設定する。
【００７０】
第２通信ユニット３１がユーザー装置に少なくとも２つの候補マッピング関係を送信する方式は、無線リソース制御（ＲＲＣ）構成情報から取得する方式であってもよく、無論、他の情報から取得する方式であってもよい。
【００７１】
具体的に、少なくとも２つの候補マッピング関係からターゲットマッピング関係を選択する方式は、第２通信ユニット３１が前記ユーザー装置の少なくとも２つのマッピング関係からターゲットマッピング関係を選択するように指示するための第１構成シグナリングを前記ユーザー装置に送信する方式であってもよい。
【００７２】
第１構成シグナリングがＲＲＣ構成情報によって取得されてもよい。ユーザー装置が前記第１構成シグナリングに基づいて少なくとも２つの候補マッピング関係からどのターゲットマッピング関係を選択するかを決定するように、前記第１構成シグナリングにはネットワーク側の能力情報が含まれてもよい。例えば、ネットワーク側（基地局）の能力はその負荷能力がより低いことを現す場合、第２マッピング関係をターゲットマッピング関係として選択することができ、逆に、第１マッピング関係をターゲットマッピング関係として選択することができる。
【００７３】
また、第１構成シグナリングからネットワーク側の指示するユーザー装置の選択すべきターゲットマッピング関係を取得することができ、このような方式では、ネットワーク側（すなわち基地局）自体はその能力がより大きな負荷を許容できるかどうかを判断してもよく、できる場合、第１構成シグナリングによって第１マッピング関係をターゲットマッピング関係として選択することをユーザー装置に通知することができ、逆に、第１構成シグナリングによって第２マッピング関係をターゲットマッピング関係として選択することをユーザー装置に通知することができる。
【００７４】
本実施例において、第１制御情報は物理ダウンリンク制御チャネルから伝送された制御情報であってもよい。具体的な内容はリソースブロックグループに対応する識別情報を示すことであってもよく、リソースブロックグループについての識別情報はユーザー装置及びネットワーク機器がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき部分帯域幅のサイズを示すことであってもよく、
又は、第１制御情報の具体的な内容は更にネットワーク機器がユーザー装置の利用すべきリソースブロックグループのサイズを直接指示することであってもよい。
【００７５】
以上によれば、上記考案を用いることにより、ユーザー装置は少なくとも２つの候補マッピングテーブル関係に基づき、ターゲットマッピング関係を決定し、更にネットワーク側から送信された制御情報によって利用すべき周波数領域リソースを決定することができ、且つ、少なくとも２つの候補マッピング関係には異なるＢＷＰ範囲が異なるＲＢＧサイズにマッピングする第１マッピング関係及び同じＲＢＧサイズにマッピングする第２マッピング関係が含まれてもよい。このように、このような複数のマッピング関係を柔軟に利用してユーザー装置に周波数領域リソースを割り当てることができ、それによりスケジューリング柔軟性を実現するとともに、更に基地局のスケジューリング複雑性及び端末の操作複雑性を低減することができる。
【００７６】
本発明の実施例は更にユーザー装置、又はネットワーク機器のハードウェア構成のアーキテクチャを提供し、図４に示すように、少なくとも１つのプロセッサ４１、メモリ４２、少なくとも１つのネットワークインターフェース４３を備える。各コンポーネントがバスシステム４４によって一体に結合される。バスシステム４４はこれらのコンポーネント同士の接続通信を実現することに用いられると理解される。バスシステム４４はデータバスを備える以外に、更に電源バス、制御バス及び状態信号バスを備える。しかしながら、明確に説明するために、図４には様々なバスをいずれもバスシステム４４で示す。
【００７７】
本発明の実施例のメモリ４２は揮発性メモリ又は不揮発性メモリであってもよく、又は揮発性メモリ及び不揮発性メモリの２つを含んでもよいと理解される。
【００７８】
いくつかの実施形態において、メモリ４２には、実行可能モジュール又はデータ構造、又はそれらのサブセット、又はそれらの拡張セットすなわちオペレーティングシステム４２１及びアプリケーション４２２の要素が記憶される。
【００７９】
前記プロセッサ４１は上記実施例１又は実施例２の方法ステップを処理できるように構成され、ここで詳細な説明は省略する。
【００８０】
本発明の実施例はコンピュータ記憶媒体を提供し、前記コンピュータ記憶媒体にコンピュータ実行可能命令が記憶され、前記コンピュータ実行可能命令が実行されるとき、上記実施例１又は実施例２の方法ステップを実施する。
【００８１】
本発明の実施例の上記装置はソフトウェア機能モジュールの形式で実現され、且つ独立した製品として販売又は利用されるとき、１つのコンピュータ可読記憶媒体に記憶されてもよい。このような理解に基づき、本発明の実施例の技術案の本質又は従来技術に貢献する部分はソフトウェア製品の形式で具現されてもよく、該コンピュータソフトウェア製品は、１台のコンピュータ装置（パーソナルコンピュータ、サーバ、又はネットワーク機器等であってもよい）に本発明の各実施例に記載の方法の全部又は一部を実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいずれか特定のハードウェアとソフトウェアとの組み合わせに制限されない。
【００８２】
それに対応して、本発明の実施例は更にコンピュータプログラムが記憶されるコンピュータ記憶媒体を提供し、該コンピュータプログラムは本発明の実施例のデータスケジューリング方法を実行するように構成される。
【００８３】
例示のため、既に本発明の好適な実施例を開示したが、当業者は様々な改良、追加及び置換も可能であると理解し、従って、本発明の範囲は上記実施例に制限されない。
【図１】
2021511686.tif 000008
【図２】
2021511686.tif 000009
【図３】
2021511686.tif 000010
【図４】
2021511686.tif 000011
【手続補正書】
【提出日】令和2年10月29日(2020.10.29)
【手続補正１】
【補正対象書類名】明細書
【補正対象項目名】０００７
【補正方法】変更
【補正の内容】
【０００７】
本発明の実施例はネットワーク機器に適用されるリソース指示方法を提供し、
ユーザー装置がターゲットマッピング関係におけるターゲットリソースブロックグループのサイズに基づいて周波数領域リソースを割り当てるように指示するための第１制御情報をユーザー装置に送信することを含み、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる。
【手続補正２】
【補正対象書類名】明細書
【補正対象項目名】０００９
【補正方法】変更
【補正の内容】
【０００９】
本発明の実施例はネットワーク機器を提供し、
ユーザー装置がターゲットマッピング関係におけるターゲットリソースブロックグループのサイズに基づいて周波数領域リソースを割り当てるように指示するための第１制御情報をユーザー装置に送信する第２通信ユニットを備え、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲は同じリソースブロックグループサイズにマッピングできる。
【手続補正３】
【補正対象書類名】明細書
【補正対象項目名】００３２
【補正方法】変更
【補正の内容】
【００３２】
第１制御情報は物理ダウンリンク制御チャネルから伝送された制御情報であってもよい。第１制御情報の具体的な内容はリソースブロックグループに対応する識別情報を示すことであってもよく、リソースブロックグループについての識別情報はユーザー装置及びネットワーク側がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき帯域幅部分のサイズを示すことであってもよく、
又は、第１制御情報の具体的な内容は更にネットワーク側がユーザー装置の利用すべきリソースブロックグループのサイズを直接指示することであってもよい。
【手続補正４】
【補正対象書類名】明細書
【補正対象項目名】００３５
【補正方法】変更
【補正の内容】
【００３５】
本発明の実施例はネットワーク機器に適用されるリソース指示方法を提供し、
ユーザー装置がターゲットマッピング関係におけるターゲットリソースブロックグループのサイズに基づいて周波数領域リソースを割り当てるように指示するための第１制御情報をユーザー装置に送信することを含み、
前記ターゲットマッピング関係が少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲では同じリソースブロックグループサイズにマッピングできる。
【手続補正５】
【補正対象書類名】明細書
【補正対象項目名】００３８
【補正方法】変更
【補正の内容】
【００３８】
表２から分かるように、第１マッピング関係において、異なる帯域幅部分のサイズ範囲が異なるリソースブロックグループサイズに対応し、例えば、表２では、それぞれマッピングするリソースブロックグループサイズが１、２、４、８及び１６であるが、第２マッピング関係において、複数の異なる帯域幅部分のサイズがそれぞれ同じリソースブロックグループサイズに対応し、例えば、表２では、３つの帯域幅部分のサイズ範囲に対応する同じリソースブロックグループサイズがいずれも４であり、残りの２つの帯域幅部分のサイズ範囲に対応する他のリソースブロックグループサイズが１６である。また、表中のＢＷＰのサイズ範囲については、実際の状況に応じて設定してもよく、表中に一例を示すが、ここで全ての例を挙げない。
【手続補正６】
【補正対象書類名】明細書
【補正対象項目名】００４６
【補正方法】変更
【補正の内容】
【００４６】
本実施例において、第１制御情報は物理ダウンリンク制御チャネルから伝送された制御情報であってもよい。第１制御情報の具体的な内容はリソースブロックグループに対応する識別情報を示すことであってもよく、リソースブロックグループについての識別情報はユーザー装置及びネットワーク機器がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき帯域幅部分のサイズを示すことであってもよく、
又は、第１制御情報の具体的な内容は更にネットワーク機器がユーザー装置の利用すべきリソースブロックグループのサイズを直接指示することであってもよい。
【手続補正７】
【補正対象書類名】明細書
【補正対象項目名】００６４
【補正方法】変更
【補正の内容】
【００６４】
第１制御情報は物理ダウンリンク制御チャネルから伝送された制御情報であってもよい。第１制御情報の具体的な内容はリソースブロックグループに対応する識別情報を示すことであってもよく、リソースブロックグループについての識別情報はユーザー装置及びネットワーク側がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき帯域幅部分のサイズを示すことであってもよく、
又は、第１制御情報の具体的な内容は更にネットワーク側がユーザー装置の利用すべきリソースブロックグループのサイズを直接指示することであってもよい。
【手続補正８】
【補正対象書類名】明細書
【補正対象項目名】００６７
【補正方法】変更
【補正の内容】
【００６７】
本発明の実施例はネットワーク機器を提供し、図３に示すように、
ユーザー装置がターゲットマッピング関係におけるターゲットリソースブロックグループのサイズに基づいて周波数領域リソースを割り当てるように指示するための第１制御情報をユーザー装置に送信する第２通信ユニット３１を備え、
前記ターゲットマッピング関係が少なくとも２つの候補マッピング関係のうちの１つであり、前記少なくとも２つの候補マッピング関係は少なくとも第１マッピング関係及び第２マッピング関係を含み、前記第１マッピング関係において、各組の帯域幅部分のサイズ範囲は異なるリソースブロックグループサイズにマッピングし、前記第２マッピング関係において、少なくとも２組の帯域幅部分のサイズ範囲では同じリソースブロックグループサイズにマッピングできる。
【手続補正９】
【補正対象書類名】明細書
【補正対象項目名】００７８
【補正方法】変更
【補正の内容】
【００７８】
本実施例において、第１制御情報は物理ダウンリンク制御チャネルから伝送された制御情報であってもよい。第１制御情報の具体的な内容はリソースブロックグループに対応する識別情報を示すことであってもよく、リソースブロックグループについての識別情報はユーザー装置及びネットワーク機器がいずれも取得できる情報であってもよく、
又は、ユーザー装置が帯域幅部分のサイズに基づいて自体の利用すべきリソースブロックグループのサイズを決定するように、第１制御情報の具体的な内容は更にユーザー装置の利用すべき帯域幅部分のサイズを示すことであってもよく、
又は、第１制御情報の具体的な内容は更にネットワーク機器がユーザー装置の利用すべきリソースブロックグループのサイズを直接指示することであってもよい。
【手続補正１０】
【補正対象書類名】明細書
【補正対象項目名】００８６
【補正方法】変更
【補正の内容】
【００８６】
それに対応して、本発明の実施例は更にコンピュータプログラムが記憶されるコンピュータ記憶媒体を提供し、該コンピュータプログラムは本発明の実施例のリソース指示方法を実行するように構成される。
【手続補正１１】
【補正対象書類名】特許請求の範囲
【補正対象項目名】全文
【補正方法】変更
【補正の内容】
【特許請求の範囲】
【請求項１】
ユーザー装置に適用されるリソース指示方法であって、
少なくとも２つの候補マッピング関係からターゲットマッピング関係を選択することと、
ターゲットマッピング関係における帯域幅部分のサイズ範囲に基づき、ターゲットリソースブロックグループのサイズを決定することと、
ターゲットリソースブロックグループのサイズ及びネットワーク側から送信された第１制御情報に基づき、周波数領域リソースを割り当てることと、を含み、
前記少なくとも２つの候補マッピング関係は少なくとも第１マッピング関係及び第２マッピング関係を含み、前記第１マッピング関係において、異なる帯域幅部分のサイズ範囲は異なるリソースブロックグループサイズに対応し、前記第２マッピング関係において、少なくとも２種の帯域幅部分のサイズ範囲は同じリソースブロックグループサイズに対応するリソース指示方法。
【請求項２】
前記方法は、更に、
ネットワーク側から少なくとも２つの候補マッピング関係を取得することを含む請求項１に記載の方法。
【請求項３】
少なくとも２つの候補マッピング関係からターゲットマッピング関係を選択することは、
ネットワーク側から送信された第１構成シグナリングに基づいて少なくとも２つの候補マッピング関係からターゲットマッピング関係を選択し、
又は、
プリセットルールに従って少なくとも２つの候補マッピング関係からターゲットマッピング関係を選択することを含む請求項１に記載の方法。
【請求項４】
物理ダウンリンク制御チャネルを介して第１制御情報を伝送する請求項１〜３のいずれか１項に記載の方法。
【請求項５】
第１構成シグナリングは無線リソースによって構成情報を制御する請求項３に記載の方法。
【請求項６】
ネットワーク機器に適用されるリソース指示方法であって、
ユーザー装置がターゲットマッピング関係におけるターゲットリソースブロックグループのサイズに基づいて周波数領域リソースを割り当てるように指示するための第１制御情報をユーザー装置に送信することを含み、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、異なる帯域幅部分のサイズ範囲は異なるリソースブロックグループサイズに対応し、前記第２マッピング関係において、少なくとも２種の帯域幅部分のサイズ範囲は同じリソースブロックグループサイズに対応するリソース指示方法。
【請求項７】
前記方法は、更に、
前記ユーザー装置に少なくとも２つの候補マッピング関係を設定することを含む請求項６に記載の方法。
【請求項８】
前記方法は、更に、
前記ユーザー装置が少なくとも２つのマッピング関係からターゲットマッピング関係を選択するように指示するための第１構成シグナリングを前記ユーザー装置に送信することを含む請求項６に記載の方法。
【請求項９】
物理ダウンリンク制御チャネルを介して第１制御情報を伝送する請求項６〜８のいずれか１項に記載の方法。
【請求項１０】
第１構成シグナリングは無線リソースによって構成情報を制御する請求項８に記載の方法。
【請求項１１】
ユーザー装置であって、
少なくとも２つの候補マッピング関係からターゲットマッピング関係を選択し、ターゲットマッピング関係における帯域幅部分のサイズ範囲に基づき、ターゲットリソースブロックグループのサイズを決定し、ターゲットリソースブロックグループのサイズ及びネットワーク側から送信された第１制御情報に基づき、周波数領域リソースを割り当て、前記少なくとも２つの候補マッピング関係は少なくとも第１マッピング関係及び第２マッピング関係を含み、前記第１マッピング関係において、異なる帯域幅部分のサイズ範囲は異なるリソースブロックグループサイズに対応し、前記第２マッピング関係において、少なくとも２種の帯域幅部分のサイズ範囲は同じリソースブロックグループサイズに対応する第１処理ユニットと、
ネットワーク側から送信された第１制御情報を受信する第１通信ユニットと、を備えるユーザー装置。
【請求項１２】
前記異なる帯域幅部分のサイズ範囲が対応する前記異なるリソースブロックグループサイズは、それぞれ１、２、４、８、及び１６である請求項１１に記載のユーザー装置。
【請求項１３】
前記少なくとも２種の帯域幅部分のサイズ範囲が対応する前記同じリソースブロックグループサイズは１６である請求項１１に記載のユーザー装置。
【請求項１４】
前記ユーザー装置は、更に、
ネットワーク側から少なくとも２つの候補マッピング関係を取得する第１通信ユニットを含む請求項１１に記載のユーザー装置。
【請求項１５】
前記第１通信ユニットはネットワーク側から送信された第１構成シグナリングを受信し、前記第１処理ユニットはネットワーク側から送信された第１構成シグナリングに基づいて少なくとも２つの候補マッピング関係からターゲットマッピング関係を選択し、
又は、
前記第１処理ユニットはプリセットルールに従って少なくとも２つの候補マッピング関係からターゲットマッピング関係を選択する請求項１１に記載のユーザー装置。
【請求項１６】
物理ダウンリンク制御チャネルを介して第１制御情報を伝送する請求項１１〜１５のいずれか１項に記載のユーザー装置。
【請求項１７】
第１構成シグナリングは無線リソースによって構成情報を制御する請求項１５に記載のユーザー装置。
【請求項１８】
ネットワーク機器であって、
ユーザー装置がターゲットマッピング関係におけるターゲットリソースブロックグループのサイズに基づいて周波数領域リソースを割り当てるように指示するための第１制御情報をユーザー装置に送信する第２通信ユニットを備え、
前記ターゲットマッピング関係は少なくとも２つの候補マッピング関係のうちの１つであり、前記少なくとも２つの候補マッピング関係は少なくとも第１マッピング関係及び第２マッピング関係を含み、前記第１マッピング関係において、異なる帯域幅部分のサイズ範囲は異なるリソースブロックグループサイズに対応し、前記第２マッピング関係において、少なくとも２種の帯域幅部分のサイズ範囲は同じリソースブロックグループサイズに対応するネットワーク機器。
【請求項１９】
前記ネットワーク機器は、更に、
少なくとも２つの候補マッピング関係を決定する第２処理ユニットを備え、
前記第２通信ユニットは前記ユーザー装置に少なくとも２つの候補マッピング関係を設定する請求項１８に記載のネットワーク機器。
【請求項２０】
前記第２通信ユニットは前記ユーザー装置が少なくとも２つのマッピング関係からターゲットマッピング関係を選択するように指示するための第１構成シグナリングを前記ユーザー装置に送信する請求項１８に記載のネットワーク機器。
【請求項２１】
物理ダウンリンク制御チャネルを介して第１制御情報を伝送する請求項１８〜２０のいずれか１項に記載のネットワーク機器。
【請求項２２】
第１構成シグナリングは無線リソースによって構成情報を制御する請求項２０に記載のネットワーク機器。
【手続補正書】
【提出日】令和3年3月19日(2021.3.19)
【手続補正１】
【補正対象書類名】手続補正書
【補正対象項目名】手続補正１０
【補正方法】変更
【補正の内容】
【手続補正１０】
【補正対象書類名】明細書
【補正対象項目名】００８２
【補正方法】変更
【補正の内容】
【００８２】
それに対応して、本発明の実施例は更にコンピュータプログラムが記憶されるコンピュータ記憶媒体を提供し、該コンピュータプログラムは本発明の実施例のリソース指示方法を実行するように構成される。
【国際調査報告】
2021511686.tif 000012
2021511686.tif 000013
2021511686.tif 000014
2021511686.tif 000015